(57)【要約】【課題】強度や剛性を維持しつつ全体の厚みを削減することができる携帯電子機器を提供すること。【解決手段】本実施形態に係る携帯電話機（携帯電子機器）は、表示面及びその背面を有するメイン液晶（第一表示器）２、及びメイン液晶２の背面を覆って支持する板金ホルダ（カバー部材）３を有するメイン液晶モジュール（第一表示モジュール）５と、表示面及び背面を有するサブ液晶（第二表示器）６を有し、メイン液晶２の背面にサブ液晶６の背面が対向して配されるサブ液晶モジュール（第二表示モジュール）７とを備え、板金ホルダ３の背面の一端側（所定領域）には、サブ液晶モジュール７が挿入される絞り段部２１が配され、板金ホルダ３の他端側（他の領域）のメイン液晶２と板金ホルダ３との間には、フレキシブル基板が折り返されて配されている。【選択図】図２
2007124384.tif 000002
【特許請求の範囲】
【請求項１】
表示面及び該表示面と反対側にある背面を有する第一表示器、及び該第一表示器の背面を覆うカバー部材を有する第一表示モジュールと、表示面及び該表示面と反対側にある背面を有する第二表示器を有し、前記第一表示器の背面に前記第二表示器の背面が対向して配される第二表示モジュールと、前記第一表示器に一端が接続されるフレキシブル基板とを備え、
前記カバー部材の背面の所定領域には、前記第二表示モジュールが挿入される凹部が配され、
前記カバー部材の前記所定領域を除く他の領域であって、前記第一表示器と前記カバー部材との間には、前記フレキシブル基板が折り返されて配されていることを特徴とする携帯電子機器。
【請求項２】
前記第一表示器及び前記第二表示器へ駆動電力及び表示信号を供給する回路基板を備え、
該回路基板が、前記カバー部材の凹部と略同一の大きさの切り欠き部を有して、前記カバー部材の背面に装着されていることを特徴とする請求項１に記載の携帯電子機器。
【請求項３】
底面部と該底面部の周縁部に立設された側面部とを有して前記第一表示モジュールを収納するハウジングを備え、
前記第一表示器の表示面を外部に露出させる第一表示窓が前記底面部に配され、
前記第一表示モジュールを前記ハウジング内に収納した状態で、前記カバー部材の背面に配された前記回路基板を保持する第一係合部が前記ハウジング内に配されていることを特徴とする請求項２に記載の携帯電子機器。
【請求項４】
前記ハウジング内に、前記第二表示モジュールを保持する第二係合部が配され、
前記第二表示モジュールが、前記第二表示器を保持する枠部を備え、
該枠部には、前記第二表示器を保持した状態で前記第二係合部と係合される係止片が配されていることを特徴とする請求項３に記載の携帯電子機器。
【請求項５】
前記回路基板が、前記第一表示モジュールと対向する面とは反対側となる面に配されて、前記フレキシブル基板が接続される被接続部を備え、
前記フレキシブル基板には、他端にコネクタ部が配され、該コネクタ部を含む他端側が折り返されて前記被接続部に接続されることを特徴とする請求項２に記載の携帯電子機器。
【請求項６】
前記フレキシブル基板が挿通される貫通孔が前記カバー部材の端部に配され、
前記貫通孔を挿通した前記フレキシブル基板が折り返されて、該フレキシブル基板の他端が前記回路基板に接続されていることを特徴とする請求項５に記載の携帯電子機器。
【請求項７】
前記カバー部材の前記他の領域には、複数の孔部が配されていることを特徴とする請求項１から６の何れか一つに記載の携帯電子機器。
【発明の詳細な説明】
【技術分野】
【０００１】
本発明は、携帯電話機などの携帯電子機器に関する。
【背景技術】
【０００２】
一般に、携帯電話機などの携帯電子機器は、折り畳み型が多く普及している。そして、この折り畳み型の携帯電子機器では、さらなる薄型軽量化および多機能化にともない、折り畳んだ状態においても、日付、時刻あるいは通信状況などの各種情報を表示させるために、これらを表示させる表示部として、メイン液晶及びサブ液晶とが背面側で対向するように、筐体の表裏面にそれぞれ配されている。
【０００３】
ところが、筐体の表裏面に表示部を設ける場合には、携帯電子機器の厚さが増大してしまうことから、表示部同士を重ね合わせても全体の薄型化を図ることができる方法について様々な提案がなされている。（例えば、特許文献１参照。）。
【０００４】
この際、メイン液晶及びサブ液晶の表示部間には、携帯電子機器のひねりや表示面に対して垂直方向に負荷される力に対する強度・剛性を維持するために、補強板が配置される。
【特許文献１】特開２００５−１９２０１２号公報
【発明の開示】
【発明が解決しようとする課題】
【０００５】
しかしながら、単に平板の補強板を配置しても重量が大きくなってしまう。また、上記特許文献１に記載の補強板を設置していても、切り欠き部があるために、強度や剛性の向上に対して十分ではない。さらに、回路基板からの駆動信号を表示部に伝送するためのフレキシブル基板には、メインとなる表示部のバックライトの光源用のＬＥＤが配されることもあり、この場合、板厚削減にはフレキシブル基板の実装状態を考慮した収納空間を確保する必要もある。
【０００６】
本発明は上記事情に鑑みて成されたものであり、強度や剛性を維持しつつ全体の厚みを削減することができる携帯電子機器を提供することを目的とする。
【課題を解決するための手段】
【０００７】
本発明は、上記課題を解決するため、以下の手段を採用する。
【０００８】
本発明に係る携帯電子機器は、表示面及び該表示面と反対側にある背面を有する第一表示器、及び該第一表示器の背面を覆うカバー部材を有する第一表示モジュールと、表示面及び該表示面と反対側にある背面を有する第二表示器を有し、前記第一表示器の背面に前記第二表示器の背面が対向して配される第二表示モジュールと、前記第一表示器に一端が接続されるフレキシブル基板とを備え、前記カバー部材の背面の所定領域には、前記第二表示モジュールが挿入される凹部が配され、前記カバー部材の前記所定領域を除く他の領域であって、前記第一表示器と前記カバー部材との間には、前記フレキシブル基板が折り返されて配されていることを特徴とする。
【０００９】
また、本発明に係る携帯電子機器は、前記携帯電子機器であって、前記第一表示器及び前記第二表示器へ駆動電力及び表示信号を供給する回路基板を備え、該回路基板が、前記カバー部材の凹部と略同一の大きさの切り欠き部を有して、前記カバー部材の背面に装着されていることを特徴とする。
【００１０】
また、本発明に係る携帯電子機器は、前記携帯電子機器であって、底面部と該底面部の周縁部に立設された側面部とを有して前記第一表示モジュールを収納するハウジングを備え、前記第一表示器の表示面を外部に露出させる第一表示窓が前記底面部に配され、  前記第一表示モジュールを前記ハウジング内に収納した状態で、前記カバー部材の背面に配された前記回路基板を保持する第一係合部が前記ハウジング内に配されていることを特徴とする。
【００１１】
また、本発明に係る携帯電子機器は、前記携帯電子機器であって、前記ハウジング内に、前記第二表示モジュールを保持する第二係合部が配され、前記第二表示モジュールが、前記第二表示器を保持する枠部を備え、該枠部には、前記第二表示器を保持した状態で前記第二係合部と係合される係止片が配されていることを特徴とする。
【００１２】
また、本発明に係る携帯電子機器は、前記携帯電子機器であって、前記回路基板が、前記第一表示モジュールと対向する面とは反対側となる面に配されて、前記フレキシブル基板が接続される被接続部を備え、前記フレキシブル基板には、他端にコネクタ部が配され、該コネクタ部を含む他端側が折り返されて前記被接続部に接続されることを特徴とする。
【００１３】
また、本発明に係る携帯電子機器は、前記携帯電子機器であって、前記フレキシブル基板が挿通される貫通孔が前記カバー部材の端部に配され、前記貫通孔を挿通した前記フレキシブル基板が折り返されて、該フレキシブル基板の他端が前記回路基板に接続されていることを特徴とする。
【００１４】
また、本発明に係る携帯電子機器は、前記携帯電子機器であって、前記カバー部材の前記他の領域には、複数の孔部が配されていることを特徴とする。
【発明の効果】
【００１５】
本発明によれば、カバー部材の一端側に凹部が配されているので、他端側では、第一表示器を覆った際、カバー部材と第一表示器との間に隙間を設けることができる。従って、その隙間にフレキシブル基板を折り畳むことによって、フレキシブル基板の浮き上がりを抑え、組立工程における作業性を向上させ、第一表示器及び第二表示器とを重ね合わせても全体の厚み増加を抑えることができる。この際、カバー部材の凹部を第二表示モジュールの取り付け位置基準とすることができるとともに、カバー部材の強度・剛性を維持することができる。
【発明を実施するための最良の形態】
【００１６】
本発明に係る一実施形態について、図１から図１２を参照して説明する。
【００１７】
本実施形態に係る携帯電話機（携帯電子機器）１は、図１に示すように、第一筐体１Ａと第二筐体１Ｂとを備える折畳式の携帯電話機である。第一筐体１Ａは、図２から図４に示すように、表示面２ａ及び表示面２ａと反対側にある背面２ｂを有するメイン液晶（第一表示器）２、及びメイン液晶２の背面２ｂを覆って支持する板金ホルダ（カバー部材）３を有するメイン液晶モジュール（第一表示モジュール）５と、表示面６ａ及び表示面６ａと反対側にある背面６ｂを有するサブ液晶（第二表示器）６を有し、メイン液晶２の背面２ｂにサブ液晶６の背面６ｂが対向して配されるサブ液晶モジュール（第二表示モジュール）７と、ＬＥＤ８が配され、メイン液晶２の端面２ｃに一端１０ａが接続されるフレキシブル基板１０と、メイン液晶２及びサブ液晶６へフレキシブル基板１０を介して駆動電力及び表示信号を供給する回路基板１１と、底面部１２及び底面部１２に立設されたメイン用枠部（側面部）１３とを有してメイン液晶モジュール５を収納するフロントケース（ハウジング）１５と、底面部１６及び底面部１６を囲むサブ用枠部１７とを有してサブ液晶モジュール７を収納するリアケース１８とを備えている。
【００１８】
メイン液晶２の背面２ｂと板金ホルダ３との間には、フレキシブル基板１０のＬＥＤ８をバックライト光源とする導光板２０が配されている。即ち、フレキシブル基板１０は、メイン液晶２及びサブ液晶６への駆動電力及び表示信号を供給するための基板としてだけでなく、ＬＥＤ８の実装用基板としての機能が一体となっている。
【００１９】
板金ホルダ３は、ステンレス製の厚さ０．４ｍｍの薄板からなり、図５に示すように、板金ホルダ３の背面３ａの一端３ｂ側（所定領域）には、サブ液晶モジュール７が挿入される絞り段部（凹部）２１が配されている。この絞り段部２１は、サブ液晶モジュール７の外形に寸法公差を考慮した広さ、かつ、深さ０．３ｍｍに形成されている。
【００２０】
ここで、メイン液晶２と板金ホルダ３との間にフレキシブル基板１０を配置する際に、メイン液晶２の端面２ｃを板金ホルダ３の他端３ｃ側に配した場合には、フレキシブル基板１０がメイン液晶２の背面２ｂ全体に広がって配されることはない。従って、メイン液晶２の背面２ｂにフレキシブル基板１０を配置してさらに板金ホルダ３を載置した際に、板金ホルダ３の一端３ｂ側に生じる板金ホルダ３とメイン液晶２の背面２ｂとの間の隙間２２をつめるように、絞り段部２１の深さが設定されている。
【００２１】
板金ホルダ３の端部には、フレキシブル基板１０を挿通して板金ホルダ３に対して折り返すための貫通孔２３が配されている。また、板金ホルダ３の一端３ｂ側を除く他端３ｃ側（他の領域）には、軽量化のための複数の孔部２４が配されている。
【００２２】
板金ホルダ３の側面には、フロントケース１５と係合する保持用凹部２５が配されている。
【００２３】
回路基板１１は、板金ホルダ３の絞り段部２１を取り囲むように形成された一対の腕部１１Ａ，１１Ｂを備えて、板金ホルダ３の背面３ａに装着されている。一対の腕部１１Ａ，１１Ｂの間には、絞り段部２１を取り囲むように、絞り段部２１と略同一の大きさの切り欠き部２６が形成されている。回路基板１１の一対の腕部１１Ａ，１１Ｂには、回路基板１１をフロントケース１５のメイン用枠部１３に固定するための溝部２７が配されている。回路基板１１のメイン液晶モジュール５と対向する面とは反対側となる面には、フレキシブル基板１０が接続される図示しないコネクタ（被接続部）が配されている。
【００２４】
サブ液晶モジュール７は、図６に示すように、サブ液晶６を保持する枠部２８を備えている。枠部２８には、枠部２８から互いに反対方向に向かって突出して形成された一対の腕部２８Ａ，２８Ｂが配されている。一対の腕部２８Ａ，２８Ｂの先端には、枠部２８がサブ液晶６を保持した状態で、フロントケース１５の後述する第二係合部１３Ｃと係合される係止片２８ａが、枠部２８に対して垂直方向に向って配されている。
【００２５】
フレキシブル基板１０の他端１０ｂには、回路基板１１の図示しないコネクタと接続されるコネクタ部１０Ａが配されている。そして、フレキシブル基板１０は、メイン液晶２の背面２ｂに対して浮き上がらないように、板金ホルダ３とメイン液晶２の背面２ｂとの間に生じる隙間２２に折り返されて配されている。
【００２６】
フロントケース１５の底面部１２には、図７に示すように、メイン液晶２の表示面２ａを外部に露出させるメイン液晶表示窓（第一表示窓）１２Ａが配されている。フロントケース１５のメイン用枠部１３には、メイン液晶モジュール５をフロントケース１５内に収納した状態で、板金ホルダ３の側面に配された保持用凹部２５と係合してメイン液晶モジュール５を保持する保持用凸部１３Ａと、底面部１２に対して立設されるとともに先端が底面部１２側に突出して形成され、板金ホルダ３の背面３ａに配された回路基板１１の溝部２７と係合して回路基板１１を保持する第一係合部１３Ｂと、サブ液晶モジュール７の枠部２８に配された一対の腕部２８Ａ，２８Ｂの係止片２８ａと係合してサブ液晶モジュール７を保持する凹状の第二係合部１３Ｃと、顎状に形成されて、リアケース１８の後述する係合孔部１７Ａと係合してリアケース１８とフロントケース１５とを結合するための第三係合部１３Ｄとが配されている。
【００２７】
リアケース１８の底面部１６には、図８に示すように、サブ液晶６の表示面６ａを外部に露出させるサブ液晶表示窓１６Ａが配されている。リアケース１８のサブ用枠部１７には、フロントケース１５の第三係合部１３Ｄと係合される係合孔部１７Ａが配されている。
【００２８】
次に、本実施形態に係る携帯電話機１のモジュール単位の組立方法について説明する。
【００２９】
まず、図９（ａ）に示すように、フレキシブル基板１０の一端１０ａをメイン液晶２の端面２ｃと接続した後、図９（ｂ），（ｃ）に示すように、フレキシブル基板１０をメイン液晶２の背面２ｂ側に折り返す。この状態で、図９（ｄ）に示すように、貫通孔２３にフレキシブル基板１０を挿通させ、図９（ｅ）に示すように、板金ホルダ３にてメイン液晶２を覆ってメイン液晶モジュール５とする。このとき、フレキシブル基板１０の他端１０Ｂのコネクタ部１０Ａが回路基板１１と接続できるように折り返しておく。
【００３０】
このメイン液晶モジュール５を、図１０に示すように、フロントケース１５の保持用凸部１３Ａと板金ホルダ３の保持用凹部２５とが係合するようにしてフロントケース１５内に収納する。そして、図１１に示すように、回路基板１１を板金ホルダ３の背面３ａに載置して、サブ液晶モジュール７を板金ホルダ３の絞り段部２１に収納する。この際、絞り段部２１及び回路基板１１の切り欠き部２６によって、サブ液晶モジュール７が板金ホルダ３に対して位置決めされる。
【００３１】
そして、フレキシブル基板１０の他端１０Ｂ側を回路基板１１の端面近傍でさらにメイン液晶モジュール５とは反対側に谷折りして、回路基板１１の図示しないコネクタにコネクタ部１０Ａを接続する。これにより、フレキシブル基板１０は、板金ホルダ３の背面３ａと回路基板１１との間に配されないようになる。
【００３２】
また、回路基板１１の溝部２７とフロントケース１５の第一係合部１３Ｂとが係合され、サブ液晶モジュール７の枠部２８に係る一対の腕部２８Ａ，２８Ｂの係止片２８ａと第二係合部１３Ｃとが係合されて、図１２に示すように、メイン液晶モジュール５、回路基板１１、及びサブ液晶モジュール７がそれぞれフロントケース１５に保持される。
【００３３】
そして、サブ液晶６の表示面６ａがサブ液晶表示窓１６Ａに配されるようにリアケース１８をサブ液晶モジュール７の上に被せ、係合孔部１７Ａとフロントケース１５の第三係合部１３Ｄとを係合させる。こうして、リアケース１８とフロントケース１５とが係合されて接続される。この際、第三係合部１３Ｄと係合孔部１７Ａとの係合によって、第一係合部１３Ｂが回路基板１１に対して外側に広がって回路基板１１と第一係合部１３Ｂとの係合が外れてしまうことが規制され、フロントケース１５の第一係合部１３Ｂが回路基板１１から離間しないように確実に固定される。こうして、硬質な回路基板１１によってメイン液晶モジュール５が面接触にてフロントケース１５に支持される。
【００３４】
この携帯電話機１によれば、サブ液晶モジュール７を板金ホルダ３の絞り段部２１に配することができる。その際、絞り段部２１の絞り形状をサブ液晶モジュール７の外形に合わせることによって、サブ液晶モジュール７を板金ホルダ３に好適に支持して固定させることができる。
【００３５】
従って、メイン液晶モジュール５とサブ液晶モジュール７とを厚さ方向に重ね合わせても、絞り段部２１がない場合と比べて絞り段部２１の深さ分、携帯電話機１全体の厚さを薄くすることができる。
【００３６】
また、板金ホルダ３には、絞り段部２１が配されているので、絞り段部２１をサブ液晶モジュール７の取り付け位置基準とすることができるとともに、板金ホルダ３自体の強度・剛性を維持することができる。
【００３７】
さらに、板金ホルダ３と回路基板１１とが接触する面に複数の孔部２４が配されているので、板金ホルダ３の強度や剛性を維持しつつ軽量化を図ることができる。この際、孔部２４は板金ホルダ３の絞り段部２１以外の場所に配されているので、メイン液晶２に設けられるバックライトから光漏れしてもサブ液晶６に対して遮光性を維持することができ、互いの画面表示のバックライトからの干渉を抑えることができる。一方、孔部２４があっても、メイン液晶２と板金ホルダ３との間にフレキシブル基板１０が折り返されて配されているので、メイン液晶２からの光漏れを好適に抑えることもできる。
【００３８】
また、フレキシブル基板１０を、板金ホルダ３と回路基板１１との間に介在しないように配して、板金ホルダ３と回路基板１１とを密着させることができる。従って、この状態でフレキシブル基板１０と回路基板１１とを接続させることができる。その結果、組立作業性の向上を図ることができ、接続状態の確認を容易に行うことができ、組立工程の自由度を向上させることができる。
【００３９】
また、硬質な回路基板１１にてメイン液晶モジュール５を面接触で支持させているので、点接触の場合よりも捻れ剛性を高めることができ、衝撃に対してもメイン液晶モジュール５を安定して、かつ、継続してフロントケース１５に対して支持させることができる。
【００４０】
なお、本発明の技術範囲は上記実施の形態に限定されるものではなく、本発明の趣旨を逸脱しない範囲において種々の変更を加えることが可能である。
【００４１】
例えば、上記実施形態では、板金ホルダ３に複数の孔部２４を配しているが、軽量化が十分であれば、孔部２４はなくても構わない。
【００４２】
また、板金ホルダ３にフレキシブル基板１０を挿通させる貫通孔２３が配されているが、複数の孔部２４のうちの一つを貫通孔として使用しても構わない。これにより、板金ホルダ３の強度・剛性の低下を好適に抑えることができる。
【図面の簡単な説明】
【００４３】
【図１】本発明の一実施形態に係る携帯電話機を示す斜視図である。
【図２】本発明の一実施形態に係る携帯電話機を示す構成分解図である。
【図３】本発明の一実施形態に係る携帯電話機を示す断面図である。
【図４】本発明の一実施形態に係る携帯電話機の要部を示す構成分解図である。
【図５】本発明の一実施形態に係る携帯電話機の板金ホルダを示す（ａ）斜視図、（ｂ）（ａ）のＸ方向から見た側面図である。
【図６】本発明の一実施形態に係る携帯電話機のサブ液晶モジュールを示す斜視図である。
【図７】本発明の一実施形態に係る携帯電話機のフロントケースを示す斜視図である。
【図８】本発明の一実施形態に係る携帯電話機のリアケースを示す斜視図である。
【図９】本発明の一実施形態に係る携帯電話機のメイン液晶モジュールの組立手順について示す説明図である。
【図１０】本発明の一実施形態に係る携帯電話機の組立方法を示す説明図である。
【図１１】本発明の一実施形態に係る携帯電話機の組立方法を示す説明図である。
【図１２】本発明の一実施形態に係る携帯電話機の組立方法を示す説明図である。
【符号の説明】
【００４４】
１  携帯電話機（携帯電子機器）
２  メイン液晶（第一表示器）
３  板金ホルダ（カバー部材）
５  メイン液晶モジュール（第一表示モジュール）
６  サブ液晶（第二表示器）
７  サブ液晶モジュール（第二表示モジュール）
１０  フレキシブル基板
１１  回路基板
１２Ａ  メイン液晶表示窓（第一表示窓）
１３  メイン用枠部（側面部）
１３Ｂ  第一係合部
１３Ｃ  第二係合部
１５  フロントケース（ハウジング）
２１  絞り段部（凹部）
２３  貫通孔
２４  孔部
２６  切り欠き部
【図１】
2007124384.tif 000003
【図２】
2007124384.tif 000004
【図３】
2007124384.tif 000005
【図４】
2007124384.tif 000006
【図５】
2007124384.tif 000007
【図６】
2007124384.tif 000008
【図７】
2007124384.tif 000009
【図８】
2007124384.tif 000010
【図９】
2007124384.tif 000011
【図１０】
2007124384.tif 000012
【図１１】
2007124384.tif 000013
【図１２】
2007124384.tif 000014